(57)【要約】【課題】リフレクタのねじれやゆがみ及びリフレクタのバルブに対する焦点ズレに起因する、法規上要求される配光規格への影響を防止又は低減することが可能な車両用灯具を提供する。【解決手段】ハウジングと、バルブ光源が挿入される開口が形成されたリフレクタが固定されており、前記ハウジングに対して位置決めされた状態で組み付けられ固定される灯具構成部材とを備える車両用灯具において、前記リフレクタ又は前記ハウジングに形成された位置決め用リブと、前記ハウジング又は前記リフレクタに形成されたリブ受け部と、を備え、前記リブ受け部は、前記位置決め用リブが当接し該当接した前記位置決め用リブが相対的に移動する当接面と、前記当接面に対して所定量移動した前記位置決め用リブが当接し該位置決め用リブの移動を規制するストッパと、を有することを特徴とする。【選択図】  図１
2010061841.tif 000002
【特許請求の範囲】
【請求項１】
ハウジングと、バルブ光源が挿入される開口が形成されたリフレクタが固定されており、前記ハウジングに対して位置決めされた状態で組み付けられ固定される灯具構成部材とを備える車両用灯具において、
前記リフレクタ又は前記ハウジングに形成された位置決め用リブと、
前記ハウジング又は前記リフレクタに形成されたリブ受け部と、
を備え、
前記リブ受け部は、前記位置決め用リブが当接し該当接した前記位置決め用リブが相対的に移動する当接面と、前記当接面に対して所定量移動した前記位置決め用リブが当接し該位置決め用リブの移動を規制するストッパと、を有することを特徴とする車両用灯具。
【請求項２】
前記ストッパは、前記当接面に対して上下左右方向へ所定量移動した位置決め用リブが当接する位置に設けられていることを特徴とする請求項１に記載の車両用灯具。
【請求項３】
前記位置決め用リブは、前記リフレクタ又は前記ハウジングの上下左右の四カ所それぞれに設けられており、
前記リブ受け部は、前記ハウジング又は前記リフレクタの上下左右の四カ所それぞれに設けられていることを特徴とする請求項１又は２に記載の車両用灯具。
【発明の詳細な説明】
【技術分野】
【０００１】
本発明は、車両用灯具に係り、特にバルブ光源が挿入される開口が形成されたリフレクタが固定されており、ハウジングに対して位置決めされた状態で組み付けられ固定される灯具構成部材を備える車両用灯具に関する。
【背景技術】
【０００２】
従来、バルブが挿入される開口が形成されたリフレクタが固定されたハウジングを備える車両用灯具が知られている（例えば特許文献１参照）。
【０００３】
図６は、特許文献１に記載の車両用灯具の構成を説明するための斜視図である。
【０００４】
図６に示すように、特許文献１に記載の車両用灯具は、レンズ１０´、バルブ２０´が挿入される開口３１´が形成されたリフレクタ３０´、ハウジング４０´等を備えており、リフレクタ３０´をハウジング４０´に対してネジ止め固定するようになっている。
【０００５】
ところで、近年、組み立て工数低減等の観点より、リフレクタを予めエクステンション等の灯具構成部材に固定し（又はリフレクタをエクステンション等の灯具構成部材と一体的に形成し）、このエクステンション等の灯具構成部材をハウジングに対して位置決めした状態で組み付けネジ等の公知の固定手段で固定することが行われている。
【特許文献１】実開平７−５２１２号公報
【発明の開示】
【発明が解決しようとする課題】
【０００６】
しかしながら、エクステンション等の灯具構成部材だけでなく、リフレクタについても特許文献１に記載のようにネジ等でハウジングに固定すると、エクステンション、リフレクタ、ハウジング等の寸法ばらつきの程度によっては、リフレクタのねじれやゆがみを生じ、法規上要求される配光規格に影響を与えることとなる。
【０００７】
一方、エクステンション等の灯具構成部材についてはハウジングに固定するが、リフレクタについてはハウジングに固定しないと、エクステンション、リフレクタ、ハウジング等の寸法ばらつきの程度によっては、リフレクタのバルブに対する移動に伴ってリフレクタのバルブに対する焦点ズレを生じ、法規上要求される配光規格に影響を与えることとなる。
【０００８】
本発明は、このような事情に鑑みてなされたものであり、リフレクタのねじれやゆがみ及びリフレクタのバルブに対する焦点ズレに起因する、法規上要求される配光規格への影響を防止又は低減することが可能な車両用灯具を提供することを目的とする。
【課題を解決するための手段】
【０００９】
上記課題を解決するために、請求項１に記載の発明は、ハウジングと、バルブ光源が挿入される開口が形成されたリフレクタが固定されており、前記ハウジングに対して位置決めされた状態で組み付けられ固定される灯具構成部材とを備える車両用灯具において、前記リフレクタ又は前記ハウジングに形成された位置決め用リブと、前記ハウジング又は前記リフレクタに形成されたリブ受け部と、を備え、前記リブ受け部は、前記位置決め用リブが当接し該当接した前記位置決め用リブが相対的に移動する当接面と、前記当接面に対して所定量移動した前記位置決め用リブが当接し該位置決め用リブの移動を規制するストッパと、を有することを特徴とする。
【００１０】
請求項１に記載の発明によれば、リフレクタ（位置決め用リブ）は、従来のようにネジ等でハウジングに固定（完全拘束）されておらず、上下左右方向への移動が可能となっている。
【００１１】
このため、灯具構成部材（例えば、実施形態に記載のレンズ１０（レンズ１０に固定されたエクステンション２０、エクステンション２０に固定されたリフレクタ３０を含む））をハウジングに対して予め定められた位置関係となるように位置決めした状態で組み付け固定する場合に、仮に、ハウジング、灯具構成部材の寸法ばらつきがあったとしても、当接面に当接した位置決め用リブは、ハウジング（当接面）に対して上下左右方向へ移動し、当該寸法バラツキを吸収することとなる。
【００１２】
このため、請求項１に記載の発明によれば、リフレクタを従来のようにネジ等でハウジングに固定した場合や、ネジ等の拘束器に加え、部品位置を一点に収束固定させる位置決めリブを併用した場合（ともに完全拘束を目的とする）と比べて、リフレクタ（反射面）のねじれやゆがみに起因して、法規上要求される配光規格に影響を与えることを防止又は低減することが可能となる。
【００１３】
また、請求項１に記載の発明によれば、所定量移動した位置決め用リブが当接し該位置決め用リブの移動を規制するストッパを設けたので、リフレクタ（位置決め用リブ）の移動を全く規制しない場合と比べて、リフレクタのバルブに対する焦点ズレを最小限に抑えることが可能となる。すなわち、リフレクタのバルブに対する焦点ズレに起因して、法規上要求される配光規格に影響を与えることを防止又は低減することが可能となる。
【００１４】
すなわち、請求項１に記載の発明によれば、リフレクタのねじれやゆがみ及びリフレクタのバルブに対する焦点ズレに起因する、法規上要求される配光規格への影響を、同時に防止又は低減することが可能となる。
【００１５】
請求項２に記載の発明は、請求項１に記載の発明において、前記ストッパは、前記当接面に対して上下左右方向へ所定量移動した位置決め用リブが当接する位置に設けられていることを特徴とする。
【００１６】
これは、ストッパを設ける位置の例示である。請求項２に記載の発明によれば、位置決め用リブの位置を適切に設定することで、リフレクタのバルブに対する焦点ズレを最小限に抑えることが可能となる。
【００１７】
請求項３に記載の発明は、請求項１に又は２に記載の発明において、前記位置決め用リブは、前記リフレクタ又は前記ハウジングの上下左右の四カ所それぞれに設けられており、前記リブ受け部は、前記ハウジング又は前記リフレクタの上下左右の四カ所それぞれに設けられていることを特徴とする。
【００１８】
これは、位置決め用リブ及びリブ受け部の数の例示である。請求項３に記載の発明によれば、リブ受け部は、前記ハウジング又は前記リフレクタの上下左右の四カ所それぞれに設けられているので、リフレクタのバルブに対する焦点ズレを安定して抑えることが可能となる。
【発明の効果】
【００１９】
本発明によれば、リフレクタのねじれやゆがみ及びリフレクタのバルブに対する焦点ズレに起因する、法規上要求される配光規格への影響を防止又は低減することが可能な車両用灯具を提供することが可能となる。
【発明を実施するための最良の形態】
【００２０】
以下、本発明の一実施形態である車両用灯具について図面を参照しながら説明する。
【００２１】
本実施形態の車両用灯具１００は、コンビネーションヘッドランプ、フロントコンビランプ、リアコンビランプに適用されるものであり、図１に示すように、レンズ１０、エクステンション２０、リフレクタ３０、ハウジング４０等を備えている。
【００２２】
図１に示すように、レンズ１０の周囲はエクステンション２０表面に沿ってハウジング４０側に延びており、その先端１１がハウジング４０に係合することで、レンズ１０はハウジング４０に対して位置決めされた状態で組み付けられるとともに、ネジ止め、溶着等の公知の固定手段により固定されている。
【００２３】
レンズ１０には、該レンズ１０に対して位置決めされた状態のエクステンション２０が組み付けられ、ネジ止め、溶着等の公知の固定手段により固定されている。エクステンション２０には、該エクステンション２０に対して位置決めされた状態のリフレクタ３０が組み付けられ、ネジ止め、溶着等の公知の固定手段により固定されている。
【００２４】
リフレクタ３０には、図２に示すように、白熱電球、ハロゲンランプ、ＨＩＤ等のバルブ（図示せず）が挿入される開口３１が形成されている。図１に示すように、リフレクタ３０のレンズ１０に対向する側（凹曲面側）には、アルミ蒸着等の鏡面処理が施されており、開口３１に挿入されたバルブから照射された照射光を反射し法規上要求される配光規格を満たす配光を得るための反射面３２が形成されている。また、図２に示すように、リフレクタ３０の背面側（凸曲面側）の、開口３１に対して上下左右の四つの位置それぞれには、ハウジング４０に当接する位置決め用リブ３４が設けられている。
【００２５】
図３に示すように、ハウジング４０の、リフレクタ３０に形成された開口３１に対向する部分には、バルブが挿入される開口４１が形成されている。開口４１の周囲には、環状リブ４２が形成されている。環状リブ４２の、開口４１に対して上下左右の四つの部分それぞれは、切り欠かれており、切欠部としてのリブ受け部４３を形成している。
【００２６】
切欠部としてのリブ受け部４３は、図４に示すように、位置決め用リブ３４が当接し該当接した位置決め用リブ３４が相対的に移動する当接面としての平面４３ａ、ハウジング４０（当接面４３ａ）に対して所定量移動した位置決め用リブ３４が当接し該位置決め用リブ３４の移動を規制するストッパとしてのテーパー面４３ｂ、４３ｂを備えている。
【００２７】
図３中左右方向に形成されたリブ受け部４３のテーパー面４３ｂ、４３ｂは、当接面４３ａに当接した位置決め用リブ３４をハウジング４０に固定（完全拘束）する位置ではなく、ハウジング４０（当接面４３ａ）に対して上下方向へ所定量（例えば図４に示すように０．５ｍｍ）移動した位置決め用リブ３４が当接する位置（これ以上移動すると、リフレクタ３０のバルブに対する焦点ズレに起因して、法規上要求される配光規格を満たさなくなる限界位置）に形成されている。
【００２８】
同様に、図３中上下方向に形成されたリブ受け部４３のテーパー面４３ｂ、４３ｂは、当接面４３ａに当接した位置決め用リブ３４をハウジング４０に固定（完全拘束）する位置ではなく、ハウジング４０（当接面４３ａ）に対して左右方向へ所定量（例えば図４と同様、０．５ｍｍ）移動した位置決め用リブ３４が当接する位置（これ以上移動すると、リフレクタ３０のバルブに対する焦点ズレに起因して、法規上要求される配光規格を満たさなくなる限界位置）に形成されている。
【００２９】
このように、本実施形態の車両用灯具１００によれば、リフレクタ３０（位置決め用リブ３４）は、従来のようにネジ等でハウジング４０に固定（完全拘束）されておらず、上下左右方向への移動が可能となっている。
【００３０】
このため、レンズ１０（レンズ１０に固定されたエクステンション２０、エクステンション２０に固定されたリフレクタ３０を含む）をハウジング４０に対して予め定められた位置関係となるように位置決めした状態で組み付け固定する場合に、仮に、レンズ１０、エクステンション２０、リフレクタ３０、ハウジング４０等の寸法ばらつきがあったとしても、当接面４３ａに当接した位置決め用リブ３４は、ハウジング４０（当接面４３ａ）に対して上下左右方向へ移動し、当該寸法バラツキを吸収することとなる。
【００３１】
このため、本実施形態の車両用灯具１００によれば、リフレクタ３０を従来のようにネジ等でハウジング４０に固定した場合や、ネジ等の拘束器に加え、部品位置を一点に収束固定させる位置決めリブを併用した場合（ともに完全拘束を目的とする）と比べて、リフレクタ３０（反射面３２）のねじれやゆがみに起因して、法規上要求される配光規格に影響を与えることを防止又は低減することが可能となる。
【００３２】
すなわち、本実施形態の車両用灯具１００によれば、リフレクタのねじれやゆがみ及びリフレクタのバルブに対する焦点ズレに起因する、法規上要求される配光規格への影響を、同時に防止又は低減することが可能となる。
【００３３】
また、本実施形態の車両用灯具１００によれば、所定量移動した位置決め用リブ３４が当接し該位置決め用リブ３４の移動を規制するストッパとしてのテーパー面４３ｂ、４３ｂを設けたので、リフレクタ３０（位置決め用リブ３４）の移動を全く規制しない場合と比べて、リフレクタ３０のバルブに対する焦点ズレを最小限に抑えることが可能となる。すなわち、リフレクタ３０のバルブに対する焦点ズレに起因して、法規上要求される配光規格に影響を与えることを防止又は低減することが可能となる。
【００３４】
また、リブ受け部４３は当接面４３ａに連続するテーパー面４３ｂ、４３ｂを備えているので、位置決め用リブ３４はテーパー面４３ｂ、４３ｂに沿って当接面４３ａまで誘導されることとなり、位置決め用リブ３４のリブ受け部４３への挿入を極めて容易かつ正確に行うことが可能となる。
【００３５】
次に、変形例について説明する。
【００３６】
上記実施形態では、位置決め用リブ３４はリフレクタ３０に設けられており、リブ受け部４３はハウジング４０に設けられているように説明したが、本発明はこれに限定されない。例えば、図５に示すように、位置決め用リブ３４をハウジング４０に設け、リブ受け部４３をリフレクタ３０に設けてもよい。
【００３７】
また、上記実施形態では、位置決め用リブ３４、リブ受け部４３は、上下左右に合計四つ設けられているように説明したが、本発明はこれに限定されない。例えば、位置決め用リブ３４、リブ受け部４３は、上下左右いずれかに一つ、二つ、又は三つ、あるいは五つ以上設けてもよい。
【００３８】
また、上記実施形態では、ハウジング４０には、該ハウジング４０に対して位置決めされた状態のレンズ１０（レンズ１０に固定されたエクステンション２０、エクステンション２０に固定されたリフレクタ３０を含む）が組み付けられ、ネジ止め、溶着等の公知の固定手段により固定されているように説明したが、本発明はこれに限定されない。例えば、ハウジング４０には、該ハウジング４０に対して位置決めされた状態のエクステンション２０（エクステンション２０に固定されたレンズ１０、エクステンション２０に固定されたリフレクタ３０を含む）が組み付けられ、ネジ止め、溶着等の公知の固定手段により固定されるようになっていてもよい。
【００３９】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００４０】
【図１】本発明の一実施形態である車両用灯具の断面図（図２に示したリフレクタを含む車両用灯具のＡ−Ａ断面図）である。
【図２】リフレクタの斜視図である。
【図３】ハウジングの一部拡大斜視図である。
【図４】リフレクタ（位置決め用リブ）とハウジング（リブ受け部）との関係を説明するための一部断面図である。
【図５】本発明の一実施形態である車両用灯具の変形例を説明するための断面図（図１に相当する断面図）である。
【図６】従来の車両用灯具の断面図である。
【符号の説明】
【００４１】
１００…車両用灯具、１０…レンズ、１１…先端、２０…エクステンション、３０…リフレクタ、３１…開口、３２…反射面、３４…位置決め用リブ、４０…ハウジング、４１…開口、４２…環状リブ、４３…リブ受け部、４３ａ…当接面、４３ｂ…ストッパ、
【図１】
2010061841.tif 000003
【図２】
2010061841.tif 000004
【図３】
2010061841.tif 000005
【図４】
2010061841.tif 000006
【図５】
2010061841.tif 000007
【図６】
2010061841.tif 000008